(57)【特許請求の範囲】
【請求項１】
略四角形断面に形成した筒状胴部の下端を底蓋部で閉塞し、上端を開口した断熱性の容器本体と、前記容器本体の上端部に起伏自在に取付けて設け、前記容器本体の上端開口部を開閉する断熱性の開閉蓋部とを備えた断熱容器であって、
前記容器本体の筒状胴部は、前後に対向する前壁部と後壁部、及び左右に対向する左右の側壁部とを備え、
前記容器本体の前壁部、後壁部、左右の側壁部、底蓋部、及び前記開閉蓋部は、平板状の真空断熱材で形成した中央断熱層と、平板状の断熱ボードで形成され、前記中央断熱層の両面に重合して設けた内側断熱層及び外側断熱層とで構成した三重断熱層を備えて構成され、
前記底蓋部の前記内側断熱層は、前記筒状胴部の下端部に適合して嵌入するように構成され、
前記開閉蓋部の前記内側断熱層は、閉蓋時に前記容器本体の上端開口部に適合して嵌入するように構成した
ことを特徴とする、断熱容器。
【請求項２】
前記容器本体の筒状胴部の各中央断熱層は、側縁部に隙間を生じることなく前記内側断熱層の外側面を囲むように配置して構成されていることを特徴とする、請求項１に記載の断熱容器。
【請求項３】
前記容器本体は、前記筒状胴部の各中央断熱層の下端を前記底蓋部の中央断熱層に当接させるように構成されていることを特徴とする、請求項１又は２に記載の断熱容器。
【請求項４】
前記容器本体の筒状胴部の各中央断熱層は、上端部に前記内側断熱層と外側断熱層との上端部間に無端の間隙部を形成するように構成されていることを特徴とする、請求項１ないし３のいずれかに記載の断熱容器。
【請求項５】
前記開閉蓋部は、前記開閉蓋部の中央断熱層の内側面に肉薄の保護用ボードが添装して設けてあることを特徴とする、請求項１ないし４のいずれかに記載の断熱容器。
【発明の詳細な説明】
【技術分野】
【０００１】
本発明は、一般的には断熱容器に関する。さらに詳しくは、断熱性を備え、治験薬その他の薬剤，血液，尿，体液，ヒトの臓器，食品、その他の各種物体を収容して保管，移送，配送，輸送する際等に使用する断熱容器に関する。
【背景技術】
【０００２】
従来より、発泡スチロール等の発泡樹脂材で容器本体及び蓋体を構成した断熱容器が一般に知られている（例えば、特許文献１で参照）。また、アルミニウム等の断熱シートでバッグ本体及び上蓋とを構成した断熱性バッグも一般に知られている（例えば、特許文献２参照）。
さらにまた、発泡樹脂材等で構成した断熱性の容器と、この容器を出し入れ可能に収容するバッグとで構成した断熱容器も一般に知られている。
【０００３】
前記従来の断熱容器及び断熱性バッグは目的等に応じて広く使用されている。しかるに、前記従来の容器及びバッグはいずれも断熱機能を十分備えていない問題を有している。
【０００４】
ところで、近時において真空断熱材が開発された。この真空断熱材は、例えばグラスウール等の芯材を複数層のラミネートフィルム（アルミ箔層や蒸着フィルム層を含むものもある）等のガスバリア性の外被材で包んで密閉シールし、内部を真空状態に保持（真空パック）してなるものである。この真空断熱材は、例えば、特開２００３−１５６１９３号公報，特開２００４−１９７９５４号公報，特開２００４−１９７９３５号公報，特開２００４−２１８７４７号公報，特開２００４−２１１９０５号公報，特開２００４−２５１３０４号公報，特開２００５−１１４０１４号公報，特開２００５−１１４０１３号公報等に開示されている。
前記真空断熱材は任意の厚さ及び大きさの平板状等に製造することができる。真空断熱材は、発泡樹脂材やアルミニウム等の断熱材等と比べて断熱性能がはるかに向上することが判明している。前記真空断熱材は、例えば冷蔵庫等の家電製品等の断熱用として採用されている。
【０００５】
上記したように真空断熱材は優れた断熱機能を備えており、真空断熱材を採用して構成した断熱容器も提案されている（例えば、特許文献３参照）。
【０００６】
特許文献３に記載の断熱容器（以下、「先行例」という）は、断熱性の容器と、この容器を出し入れ可能に収容するバッグとを備え、前記バッグは、バッグの前後、左右の各壁部、底蓋部及び開閉蓋部を二重壁の袋状に形成してある。そして、袋状に形成した前記各壁部内に真空断熱材を収容して構成したものである。
【０００７】
先行例によれば、特許文献１及び２に記載の断熱容器や断熱バッグに比べて、断熱機能を大巾に向上させ、優れた断熱効果を発揮する。
【０００８】
しかし、先行例によっても未だ改良すべき余地が残されている。即ち、先行例は特にバッグの各角部（コーナー）の部位等における真空断熱材による断熱機能が不完全である技術的構成上の問題を有している。
【先行技術文献】
【特許文献】
【０００９】
【特許文献１】実公昭６１−１０８２号公報
【特許文献２】特開平１１−７９２６１号公報
【特許文献３】特開２００７−１２６１８８号公報
【発明の概要】
【発明が解決しようとする課題】
【００１０】
本発明は上記のような実情に鑑みてなされたもので、先行例に比べて断熱効果を向上し得る断熱容器を提供することを目的とするものである。
【課題を解決するための手段】
【００１１】
上記目的を達成するため、本発明のうち１つの発明（第１の発明）は、略四角形断面に形成した筒状胴部の下端を底蓋部で閉塞し、上端を開口した断熱性の容器本体と、前記容器本体の上端部に起伏自在に取付けて設け、前記容器本体の上端開口部を開閉する断熱性の開閉蓋部とを備えた断熱容器であって、
前記容器本体の筒状胴部は、前後に対向する前壁部と後壁部、及び左右に対向する左右の側壁部とを備え、
前記容器本体の前壁部、後壁部、左右の側壁部、底蓋部、及び前記開閉蓋部は、平板状の真空断熱材で形成した中央断熱層と、平板状の断熱ボードで形成され、前記中央断熱層の両面に重合して設けた内側断熱層及び外側断熱層とで構成した三重断熱層を備えて構成され、
前記底蓋部の前記内側断熱層は、前記筒状胴部の下端部に適合して嵌入するように構成され、
前記開閉蓋部の前記内側断熱層は、閉蓋時に前記容器本体の上端開口部に適合して嵌入するように構成したことを特徴とする。
【００１２】
本発明の他の発明（第２の発明）は、第１の発明の断熱容器において、前記容器本体の筒状胴部の各中央断熱層は、側縁部に隙間を生じることなく前記内側断熱層の外側面を囲むように配置して構成されていることを特徴とする。
【００１３】
本発明のさらに他の１つの発明（第３の発明）は、前記容器本体は、前記筒状胴部の各中央断熱層の下端を前記底蓋部の中央断熱層に当接させるように構成されていることを特徴とする。
【００１４】
本発明のさらに他の１つの発明（第４の発明）は、第１ないし第３のいずれかの発明において、前記容器本体の筒状胴部の各中央断熱層は、上端部に前記内側断熱層と外側断熱層との上端部間に無端の間隙部を形成するように構成されていることを特徴とする。
【００１５】
本発明のさらに他の１つの発明（第５の発明）は、第１ないし第４のいずれかに記載の発明において、前記開閉蓋部は、前記開閉蓋部の中央断熱層の内側面に肉薄の保護用ボードが添装して設けてあることを特徴とする。
【発明の効果】
【００１６】
本発明によれば、次のような作用効果を奏する。
（１）前記容器本体の前壁部、後壁部、左右の側壁部、底蓋部、及び前記開閉蓋部は、真空断熱材で形成した中央断熱層と、断熱ボードで形成され、前記断熱層の両面に重合して設けた内側断熱層及び外側断熱層とで三層構造の断熱層で構成されているので、真空断熱材の機能と断熱ボードの機能との相乗作用により優れた断熱効果を発揮する。
（２）真空断熱材の両面に重合した断熱ボードは、真空断熱材を保護する役目を兼ねる。真空断熱材は損傷すると断熱作用は略ゼロないしゼロに近くなる。
（３）第２及び第３の発明によれば、容器本体は真空断熱材で全域を囲まれているので、断熱効果をさらに向上する。
（４）第４の発明によれば、上記作用効果に加え、開閉蓋部を開閉する際、その他の作業中に容器本体の真空断熱材の上端部を損傷するのを防止できる。
（５）第５の発明によれば、上記作用効果に加え、開閉蓋部の真空断熱材を保護して損傷するのを防止する効果を奏する。
【図面の簡単な説明】
【００１７】
【図１】本発明の一実施形態の断熱容器の構成を概略的に示す図であって、同図（ａ）は開蓋状態を示す斜視図、同図（ｂ）は閉蓋状態を示す斜視図である。
【図２】前記断熱容器の構成を概略的に示す図であって、同図（ａ）は縦断側面図、同図（ｂ）は同図（ａ）の仮想線で示す部分を拡大して示す縦断面図である。
【図３】前記断熱容器の構成を概略的に示す縦断正面図である。
【図４】前記断熱容器の容器本体の構成を概略的に示す横断平面図である。
【図５】前記断熱容器の開閉蓋部の一部の構成を概略的に示す拡大縦断面図である。
【図６】前記容器本体の断熱層の構成部を概略的に示す横断面説明平面図である。
【発明を実施するための形態】
【００１８】
以下、図面を参照して本発明の断熱容器の実施形態の一例について説明する。
【００１９】
図１ないし図６は、本発明の一実施形態を示す。これらの図に示すように、本実施形態の断熱容器は、上端を開口（開口部２）した断熱性の容器本体１と、前記本体１の上端開口部２を開閉する断熱性の開閉蓋部３とを備える。
【００２０】
容器本体１は、所望の大きさの略四角形断面に形成されている。容器本体１の大きさは、例えば外側寸法で、例えば横巾：約４０ｃｍ〜約８０ｃｍ、前後巾：約３０ｃｍ〜約６０ｃｍ、高さ：約３０ｃｍ〜約７０ｃｍ程度に形成できる。但し、上記範囲内に限定するものではない。
【００２１】
容器本体１は、筒状胴部１０と、前記胴部１０の一端（下端）を閉塞した底蓋部２０とを備える。前記胴部１０は前後に対向する前壁部１１，後壁部１２及び左右に対向する左右の側壁部１３，１４とを備える。
【００２２】
筒状胴部１０の前壁部１１、後壁部１２は、平板状の真空断熱材で形成した中央断熱層１１ａ，１２ａと、平板状の断熱ボードで形成され、中央断熱層１１ａ，１２ａの両面に重合し、接着その他の手段で固着して設けた内側断熱層１１ｂ，１２ｂ及び外側断熱層１１ｃ，１２ｃとで構成した三重断熱層（三層構成の断熱層）を備える。
前記内側及び外側断熱層を構成する断熱ボードは、例えば発泡スチロールやフェノールフォームその他の発泡樹脂材、或いは発泡紙等を採用できる。この点については後述する各断熱ボードについても同様である。
【００２３】
前記左右の側壁部１３，１４は平板状の真空断熱材で形成した中央断熱層１３ａ，１４ａと、平板状の断熱ボードで形成され、中央断熱層１３ａ，１４ａの両面に重合し、接着その他の手段で固着して設けた内側断熱層１３ｂ，１４ｂ及び外側断熱層１３ｃ，１４ｃとで構成した三重断熱層（三層構成の断熱層）を備える。
【００２４】
前記底蓋部２０は前記と同様に平板状の真空断熱材で形成した中央断熱層２０ａと、平板状の断熱ボードで形成され、中央断熱層２０ａの両面に重合し、接着その他の手段で固着して設けた内側断熱層２０ｂ及び外側断熱層２０ｃとで構成した三重断熱層（三層構成の断熱層）を備える。
【００２５】
前記底蓋部２０の内側断熱層２０ｂは、筒状胴部１０の下端部に適合して嵌入するように構成してある。即ち、前記胴部１０の前記各内側断熱層の内側壁面に接触させるように適合して嵌入させるように構成してある。底蓋部２０は前記胴部１０の下端部に接着その他の手段で固着して設ける。
【００２６】
前記胴部１０の真空断熱材で形成した各中央断熱層は、側縁部に隙間を生じることなく前記各内側断熱層の外側面を囲むように配置して構成されている。本実施形態では、前壁部の中央断熱層１１ａと側壁部１４の中央断熱層１４ａはＬ形状に折曲して一体成形した真空断熱材で構成されている。
また、後壁部の中央断熱層１２ａと側壁部１３の中央断熱層１３ａは前記と同様にＬ形状に折曲して一体成形した真空断熱材で構成されている。
【００２７】
そして、中央断熱層の両端部同士を接触させるように配置した構成を採用している。なお、前記各中央断熱層１１ａ，１２ａ，１３ａ，１４ａは別体に構成してもよい。
【００２８】
前記胴部１０の各中央断熱層１１ａ，１２ａ，１３ａ，１４ａは、前記各内側断熱層及び外側断熱層の上端部間に、前記上端部に沿って形成した無端の間隙部４ａを形成するように構成されている。前記間隙部４ａは、各中央断熱層の損傷を防止するために形成したものである。
【００２９】
前記底蓋部２０の中央断熱層２０ａは、底蓋部２０の外側断熱層の外縁部と前記胴部１０の各外側断熱層の下端部との間に無端の間隙部４ｂを形成するように構成してある。前記間隙部４ｂは底蓋部２０の中央断熱層２０ａの損傷を防止するために形成したものである。
【００３０】
前記胴部１０の各中央断熱層は、下端を底蓋部２０の中央断熱層２０ａと接触させて配置するように構成されている。これにより、当該部位の断熱作用を向上させるように構成してある。
【００３１】
前記胴部１０の各内側断熱層及び底蓋部２０の内側断熱層の内側面及び前記胴部の各断熱層の上端面は、防水性等を有する素材その他の任意の素材で形成したシート材５で全体的に被覆されている。シート材５は接着その他の手段で固着して添装されている。本実施形態では、前記胴部１０の外側面も前記シート材５で被覆した構成を採用している。この場合、胴部１０の外側面は上端部側の所望部（例えば前記胴部１０の高さの約１／３程度）を被覆するように構成してもよい。
【００３２】
本実施形態の容器本体１は、前記三層構成の断熱層の胴部及び断熱層の底蓋部で構成した断熱容器体（符号省略）を収容するバッグ６を備える。
【００３３】
前記バッグ６は、アルミ蒸着シート材その他の所望のシート材で構成される。本実施形態では、繊維製シートの一方の面にアルミを蒸着したアルミ蒸着シートを採用している。バッグ６は、前記シートを縫着する等により前記断熱容器体を適合して収容する大きさに形成される。前記断熱容器体はバッグ６に収容されている。前記断熱容器体は所望部を粘着テープ等でバッグ６に接着してある。
【００３４】
また、本実施形態のバッグ６は、前記断熱容器体を収容した際に、上端部が前記容器体の上端から所望の長さだけ突出させるように、高さを設定して形成されている。
【００３５】
容器本体１の前壁部１１及び左右の側壁部１３，１４の上端部における外側面（本実施形態ではバッグ６の外側面）には、面状ファスナ７ａが縫着その他の手段で固着して設けてある。
【００３６】
開閉蓋部３は、平板状の真空断熱材で形成した中央断熱層３０ａと、平板状の断熱ボードで形成され、中央断熱層３０ａの両面に重合し、接着その他の手段で固着して設けた内側断熱層３０ｂ及び外側断熱層３０ｃとで構成した三重断熱層（三層構成の断熱層）を備える。
【００３７】
開閉蓋部３の内側断熱層３０ｂは、閉蓋時に容器本体１の前記胴部の上端開口部２に適合して嵌入するように構成されている。
【００３８】
本実施形態の開閉蓋部３は、前記中央断熱層３０ａの内側面に肉薄の保護用ボード３１が接着等により固着して設けてある。前記ボード３１の肉厚は、例えば約１ミリ〜約２ミリ程度のものを採用できる。前記ボード３１の素材は特に限定するものではないが、例えば低発泡性のポリプロピレン等を採用できる。
前記ボード３１は、中央断熱層３０ａと内側断熱層３０ｂとの間に介装して設けることができる。また、前記ボード３１は、両断熱層間に介装することなく、中央断熱層の内側面の周縁部に設ける構成を採用してもよい。
【００３９】
前記開閉蓋部３の中央断熱層３０ａは、外側断熱層３０ｃの外縁部と保護用ボード３１の外縁部との間に無端の間隙部４ｃを形成するように構成してある。前記間隙部４ｃは前記中央断熱層の損傷を防止するために形成したものである。
【００４０】
開閉蓋部３の内側断熱層３０ｂの内側面、保護用ボード３１の内側面及び内側断面層，前記ボード，外側断面層の周側縁面は、防水性等の素材その他の任意の素材で形成したシート材８で全体的に被覆されている。シート材８は接着その他の手段で固着してある。
【００４１】
開閉蓋部３の外側断熱層３０ｃの外側面はアルミ蒸着シート材その他の所望のシート材３２で被覆されている。シート材３２は外側断熱層３０ｃに接着その他の手段で固着されている。本実施形態のシート材３２はアルミ蒸着シート材を採用している。
【００４２】
開閉蓋部３は、容器本体１の筒状胴部１０の後壁部１２の上端に任意の手段で起伏自在に取付けてある。これにより、容器本体の上端開口部２を開閉するように構成してある。
【００４３】
開閉蓋部は、左右の側縁部及び前縁部から延出して設けたフラップ３３ａ，３３ｂ，３３ｃを備える。各フラップ３３ａ…３３ｃの内側面には前記ファスナ７ａと係脱自在に係着するファスナ７ｂが任意の手段で固着して設けてある。
【００４４】
本実施形態の断熱容器は、上記構成を具備し、開閉蓋部３で開口部２を閉蓋し、蓋部３の各フラップを本体１の前壁部１１及び両側壁部１２，１３に押接して面状ファスナ７ａ，７ｂで係着自在に止着するように構成してある。
【００４５】
なお、図示しないが、容器本体の適当部に肩掛けベルト、或いは提げ手部材を設けてもよい。また、適当部にポケットを設けてもよい。
【００４６】
また、上記した実施形態の断熱容器は一例として開示したもので、本発明は上記の実施形態に限定されるものではなく、特許請求の範囲に記載の技術思想を越脱しない範囲内において任意に変更可能なものである。
【符号の説明】
【００４７】
１      断熱性の容器本体
２      上端開口部
３      底蓋部
１０    筒状胴部
１１    前壁部
１２    後壁部
１３，１４    側壁部
１１ａ，１２ａ，１３ａ，１４ａ    中央断熱層
１１ｂ，１２ｂ，１３ｂ，１４ｂ    内側断熱層
１１ｃ，１２ｃ，１３ｃ，１４ｃ    外側断熱層
【図１】
0005435435.tif 000002
【図２】
0005435435.tif 000003
【図３】
0005435435.tif 000004
【図４】
0005435435.tif 000005
【図５】
0005435435.tif 000006
【図６】
0005435435.tif 000007